(57)【要約】  本発明は潜熱蓄熱体としてＰＣＭ材料（相変化材料）の構成部分を備えた室内境界壁の壁構造に関する。発明によると、壁支持構造物の少なくとも壁面の一部の領域に、潜熱蓄熱材料としてＰＣＭ材料を含むＰＣＭ層２２，２２’；５６と、その上に室内の方向に向う電気操作可能な少なくとも１つのパネル暖房要素９ａ−９ｄ；３４，３５とがこの順番で配置される。したがって、効率を増加するために、パネル暖房要素から後側に放出されたエネルギーが蓄積されて使用される。【選択図】図２
2008542591.tif 000002
【特許請求の範囲】
【請求項１】
潜熱蓄熱体としてＰＣＭ材料（層変化材料）からなる構成部分を有する室内境界壁の壁構造において、
壁支持構造物の壁面部分領域に、潜熱蓄熱材料としてＰＣＭ材料を含む少なくとも１つのＰＣＭ層（２２，２２’；５６）と、その上で室内側に位置し電気操作可能な少なくとも１つのパネル暖房要素（９ａ−９ｄ；３４，３５）とが、この順番で配置された
ことを特徴とする壁構造。
【請求項２】
壁支持構造物（４３）自体が熱遮断材料で構成され、および／または壁構造物（５）とＰＣＭ層（２２，２２’）の間に遮断層（６）が取り付けられたことを特徴とする請求項１に記載の壁構造。
【請求項３】
ＰＣＭ層（２２，２２’；５６）の後ろに反射層、特に反射膜（２３，２３’；５７）が取り付けられたことを特徴とする請求項１または２に記載の壁構造。
【請求項４】
ＰＣＭ層（２２，２２’；５６）は含水塩および／またはパラフィンを使用して形成されたことを特徴とする請求項１ないし３のいずれか１項に記載の壁構造。
【請求項５】
ＰＣＭ層（２２，２２’；５６）は結び付いた状態で、板状にされ、またはカプセルに入れられ、特に膜カプセルに入れられたことを特徴とする請求項１ないし４のいずれか１項に記載の壁構造。
【請求項６】
ＰＣＭ層（２２；５６）は１つ以上のパネル暖房要素（９ａ−９ｄ；３４，３５）の遮断基板（８ａ−８ｄ）または構造板（３１ａ，３１ｂ；３１ｄ）に形成された浴槽状レセスに挿入されたことを特徴とする請求項１ないし５のいずれか１項に記載の壁構造。
【請求項７】
建物室内の側壁および／または天井壁および／または床壁の壁構造は側壁構造物（４３）、天井構造物または床構造物（５）としての支持構造物から構成され、その上の少なくとも１つの部分領域に取り扱い可能な少なくとも１つの暖房モジュール（３ａ−３ｄ；３１ａ，３１ｂ，３１ｄ）がカバー要素として取り付けられて結合され、
暖房モジュール（３ａ−３ｄ；３１ａ，３１ｂ，３１ｄ）は電気操作可能な少なくとも１つのパネル暖房要素（９ａ−９ｄ；３４，３５）と、遮断基板（８ａ−８ｄ）または基礎構造板（４１）としての基礎パネル構造部分とからなり、前記基礎パネル構造部分上のまたは浴槽状レセスに挿入されたＰＣＭ層（２２，２２’；５８）と、前記ＰＣＭ層上の少なくとも１つのパネル暖房要素（９ａ−９ｄ；３４，３５）とが取り付けられ、
少なくとも１つのパネル暖房要素（９ａ−９ｄ；３４，３５）は電気接続導体（１１，１１’；３８ａ，３６ｂ；３７ａ，３７ｂ）に結合され、前記接続導体は同様に暖房モジュール（３ａ−３ｄ；３１ａ，３１ｂ，３１ｄ）の構成部分として前記基礎パネル構造部分（８ａ−８ｄ；４１）上に配置されたことを特徴とする請求項１ないし６のいずれか１項に記載の壁構造。
【請求項８】
少なくとも１つのパネル暖房要素（９ａ−９ｄ；３４，３５）はフラットな接続導体（１１，１１’；３６ａ、３６ｂ、３７ａ、３７ｂ）、特に導体ストリップと結合され、この導体ストリップは基礎パネル構造部分（８ａ−８ｄ；４１）上の暖房モジュール（３ａ−３ｄ；３１ａ，３１ｂ，３１ｄ）の構成部分として取り付けられ、そこから側縁領域まで導かれ、
そこから差込み結合および／または挟み込み結合および／または半田結合に介して、少なくとも１つのパネル暖房要素（９ａ−９ｄ；３４，５）に電力を供給し制御／調整を行うため、接続ケーブル（１３ａ，１３ｂ；６３，６４）が接続されたことを特徴とする請求項１ないし７のいずれか１項に記載の壁構造。
【請求項９】
少なくとも１つのパネル暖房要素（９ａ−９ｄ；３４，３５）は薄壁状の被覆を活性な赤外線放射の放射暖房被覆として備え、その被覆がＰＣＭ層（２２，２２’；５６）上に直接または支持膜（５８）上に間接的に塗布されたことを特徴とする請求項１ないし８のいずれか１項に記載の壁構造。
【請求項１０】
少なくとも１つのパネル暖房要素（９ａ−９ｄ；３４，３５）は５０ボルト未満の低電圧で操作可能な赤外線放射の放射暖房要素であることを特徴とする請求項１ないし９のいずれか１項に記載の壁構造。
【請求項１１】
暖房調整のため、制御器具（１５；５２）は室内空気温度センサ（１６）および／または壁構造に保持された壁温度センサ（１７）に結合されたことを特徴とする請求項１ないし１０のいずれか１項に記載の壁構造。
【請求項１２】
暖房モジュール（３ａ−３ｄ；３１ａ，３１ｂ，３１ｄ）は遮断基板（８ａ−８ｄ）または基礎構造板（４１）としての基礎パネル構造部分と、その上でＰＣＭ層（２２，２２’；５６）と一体に取り付けられ敷設状態では上側に位置する少なくとも１つのパネル暖房要素（９ａ−９ｄ；３４，３５）とから形成され、塗布されたパネル暖房要素（９ａ−９ｄ；３４，３５）は基礎パネル構造部分およびＰＣＭ層（２２，２２’；５６）の層厚さと比較して薄くし、
パネル暖房要素（９ａ−９ｄ；３４，３５）は赤外線放射の、特に低電圧で操作可能な放射暖房被覆を備えたことを特徴とする請求項１ないし１１のいずれか１項に記載の壁構造を製造する暖房モジュール。
【請求項１３】
少なくとも１つのパネル暖房要素（９ａ−９ｄ；３４，３５）は特に導体ストリップとしてのフラットな接続導体（１１，１１’；３６ａ、３６ｂ、３７ａ、３７ｂ）に結合され、この接続導体は暖房モジュール（３ａ−３ｄ；３１ａ，３１ｂ，３１ｄ）の構成部分として基礎パネル構造部分に取り付けられ、そこから側縁領域まで導かれ、
その接続点（１２；４７）から差込み結合および／または挟み込み結合および／または半田結合を介して、パネル暖房要素（９ａ−９ｄ；３４，３５）に電力を供給して制御／調整する制御器具（１５；５２）と結合するために、接続ケーブルが接続されたことを特徴とする請求項１２に記載の暖房モジュール。
【請求項１４】
少なくとも１つのパネル暖房要素（９ａ−９ｄ；３４，３５）は活性な放射暖房被覆として薄壁状の被覆を備え、この被覆はＰＣＭ層（２２，２２’；５６）上に直接または支持膜（５８）を介して間接的に塗布されたことを特徴とする請求項１２または１３に記載の暖房モジュール。
【請求項１５】
基礎パネル構造部分（８ａ−８ｄ；４１）上に形成されパネル暖房要素（９ａ−９ｄ；３４，３５）と銅ストリップ（１１，１１’；３６ａ，３６ｂ，３７ａ，３７ｂ）とからなるパネルパターンは貼付膜（５９）および／または紙帯で覆われ、
貼付膜および／または紙帯上のパネルパターンは見える警告パターンとして、このパネルパターンの後側にあるパネル暖房要素（９ａ−９ｄ；３４，３５）および導体スリップ（１１，１１’；３６ａ，３６ｂ，３７ａ，３７ｂ）に、特に釘またはネジで損傷を与えてはならないことの警告指示を備えることを特徴とする請求項１２ないし１４のいずれか１項に記載の暖房モジュール。
【発明の詳細な説明】
【技術分野】
【０００１】
本発明は潜熱を蓄熱するＰＣＭ材料（相変化材料）の構成部分を有する側壁、天井壁または床壁としての室内境界壁の壁構造に関する。
【背景技術】
【０００２】
いわゆるＰＣＭ材料（相変化材料）を有する潜熱蓄熱は一般に建物の壁構造との関連においても知られている。固体のＰＣＭ材料に熱を供給すると、融解温度に達したときにＰＣＭ材料はその状態が固体から液体に変化し、この相変化の間に一定の熱量をいわゆる融解熱として吸収する。この際、熱供給にもかかわらずＰＣＭ材料の温度は変化しないので、熱は潜熱（隠された熱）として蓄えられる。熱放出のときは液体から固体への逆の相変化が生じ、蓄えられた潜熱は一定温度のもとで再度放出される。ＰＣＭ蓄熱材料は特に異なる融点をもつ潜熱パラフィンまたは含水塩として、不織布、板、繊維製品のような平たい要素または粒に自由に使える。このような潜熱蓄熱においては少ない材料で温度上昇することなしに大量の熱量が蓄えられるという利点がある。
【０００３】
温度サイクルを緩和し蓄熱材として建物を暖房するため建物構造にＰＣＭ材料を組み込むことは一般に知られている。例えば、ＰＣＭを含んだ石膏モルタルは壁構造用に知られている。
【０００４】
さらに、基礎床上に熱遮断層を配置した床蓄熱暖房が一般に知られており、熱遮断層上に多数の導管コイルで温水−低温−温調装置が敷設される。その上にＰＣＭ粒を注いで広げ、乾燥舗床で覆う。その結果、その他の通常の厚いセメント舗床層に対して床蓄熱暖房の場合は蓄熱容量の大きさの割には舗床厚さの減少が達成される。したがって、ここでＰＣＭ粒を使用するこの配置の目的は、純粋なセメント舗床変形に比較して舗床層の厚さを５０％にまで減少することである。ＰＣＭ粒を使用した温調装置を配置することで、それで形成された蓄熱層がここでは主として暖められる。潜熱は、ＰＣＭ粒の蓄熱容量と熱伝導率に対応して相変化する際に、その下に配置された温調装置から取り上げられて、ＰＣＭ粒から建物室内に放出される。調音装置から建物室内への直接の熱放出は行われない。
【０００５】
そのため、このような床蓄熱暖房は技術上調整が緩慢となる。所望の室内温度変更または室外温度変化に対する反応は、温調装置で対応する調整を行っても、かなり長時間経過しなければ保持できない。調音装置の代わりに考えられる暖房膜を使用した場合にも同じ状況となり、暖房膜の効率はＰＣＭ粒の配置のもとでは建物室内への熱放射放出に関して減少する。
【０００６】
さらに壁構造板は軽構造板として一般に知られている。建物外側から建物内側までは熱保護層、熱遮断層、空気間隙、ＰＣＭ層および石膏ボード製カバープレートで構成される。ＰＣＭ層を使用することで室内温度は外の温度ピークが緩衝され平均化される。一体化された暖房はここでは設けられていない。
【０００７】
さらにパネル暖房要素が壁暖房要素として特許文献１で知られ、この文献では、間隔を保つ２つの電気導体の間で、かつこの下に、赤外線領域、特に可視できない赤外線領域の電磁放射を放射する被覆材料の被覆が取り付けられる。ここで使用される被覆材料には黒鉛および絶縁ススおよびさらなる構成部分からなる一定の物質量成分が含まれる。暖房要素への電気導体は制御器具に接続され、特に電気放射のため被覆を励起する電力を供給する。
【特許文献１】ＥＰ１１３５９７０Ｂ１
【発明の開示】
【発明が解決しようとする課題】
【０００８】
本発明の課題は、潜熱蓄熱体としてＰＣＴ材料製の構成部分を有する室内境界壁の壁構造を、そこの組み込まれた電気暖房の高い効率が達成できるように展開することである。本発明のさらなる課題は、簡単で、安価で、信頼できる機能で敷設されるこのような壁構造を製造する暖房モジュールを提供することである。
【課題を解決するための手段】
【０００９】
この課題は壁構造に関しては請求項１の特徴によって、暖房モジュールに関しては請求項１２の特徴によって解決される。
請求項１によると、壁支持構造物の壁面部分領域に、潜熱蓄熱材料としてＰＣＭ材料を含むＰＣＭ層と、その上で室内側に位置し電気操作可能な少なくとも１つのパネル暖房要素とがこの順番で配置される。
【００１０】
このような電気操作可能なパネル暖房要素、特に赤外線を放射する放射暖房被覆は建物の室内側にある面およびその裏面からほぼ同一の強度で熱放射を放出する。後側に放出されたこの放射はここから後側に接続される遮断層内および／または壁構造物内、例えば壁体に達するので、建物室内の暖房用に少なからず利用できる。
【００１１】
熱放射暖房の利点は周知のように太陽放射の作用に類似した機能にある。暖めるべき物体、例えば人に対するエネルギー放射は電磁赤外線放射によって行われ、熱の展開は基本的にまず物体に生じる。人には快適な体感温度があり、室内温度は比較的低く保持される。この場合、このような暖房の電磁エネルギーに使われる費用は全体として少ない。
【００１２】
発明による手段によって、建物室内側にあるパネル暖房要素の後側にＰＣＭ層を取り付けることにより、効率を比較的改善し電磁エネルギーに使用する費用を削減することが可能となる。
【００１３】
パネル暖房要素から裏面に放出された熱放射はここで潜熱として直接ＰＣＭ層に供給され、そこに蓄熱される。パネル暖房要素を操作して室内の前面に直接放射する場合、以上の蓄熱は余分に生じることになる。したがって、技術の水準に反して、ここではパネル暖房要素の前面ではなくパネル暖房要素の裏面にＰＣＭ層を取り付け、そうでなければ使用されずに後ろ方向に放射されるエネルギーを集めて蓄える。
【００１４】
それに反して、技術の水準によってＰＣＭ層をパネル暖房要素の前に配置すると、壁の後に向う放射は実際には使用されないか、または非常にわずかしか使用されない。
発明による配置の場合、ＰＣＭ層への比較的緩慢な熱放出はパネル暖房要素の前側からの迅速で有効な放射熱放出と重なるので、暖房調整は比較的迅速に反応する。    
【００１５】
いずれにせよ少ない電磁エネルギーで非常に経済的に運転できる発明による暖房に要する費用は安価な夜間電気料金を利用することによっても節約できることが特に有利となる。さらに、調整を適切に計画する際に夜間電気料金時間帯で暖房を行うことで、比較的少ないエネルギーで同時にＰＣＭ潜熱蓄熱体に負荷する運転が可能となる。昼間電気料金の高価な時間帯はパネル暖房要素をオフに切り替え、ＰＣＭ潜熱蓄熱体の熱をパネル暖房要素を通して建物の室内に放出する。
【００１６】
請求項２によって、壁支持構造物自体を熱遮断材料で構成し、および／または壁構造物とＰＣＭ層との間に追加の遮断層を取り付けることでさらなる機能展開が達成される。それによって、特に、熱が室内への放出用に自由に使用されずに熱伝達によってＰＣＭ層から後ろの壁構造物に放出することが避けられる。  
【００１７】
請求項４によると、ＰＣＭ層を構成するのに含水塩および／またはパラフィンなどの公知の潜熱蓄熱材料が可能である。この場合、請求項５によってＰＣＭ層の公知の実施形態が使用され、結び付いた状態で板状にされ、またはカプセルに入れられ、特に膜カプセルに入れられた結合材料が使用されるのが好ましい。
【００１８】
発明によると、パネル暖房要素から後ろに放射された電磁赤外線放射が捕獲されて潜熱蓄熱層に使用されるので、原則としてＰＣＭ層はパネル暖房要素の後ろで同一に広がった面で取り付ける必要がある。さらに、請求項６によって、ＰＣＭ層を複数のパネル暖房要素の１つ以上の面の下の遮断層または構造板に形成された対応する浴槽状レセスに挿入すると、特別に有利な構造が生まれる。それによってＰＣＭ層は位置が固定されて保持され、対応する浴槽深さにおいては全体として遮断層と同一の層厚さが達成される。  
【００１９】
請求項７による特に好ましい展開において、側壁および／または天井壁および／または床壁の壁構造は側壁構造物、天井構造物または床構造物としての支持構造物から構成され、その上の少なくとも１つの部分領域に取り扱い可能な少なくとも１つの暖房モジュールがカバー要素として取り付けられて結合される。以上に記載した層構造および配置は基本的には単一の層として単一の敷設ステップで取り付けられる。しかし、これらの層の少なくとも一部を敷設可能な暖房モジュールに前もって一体化すると、特に有利となる。さらに、このような暖房モジュールは電気操作可能な少なくとも１つのパネル暖房要素と、遮断基板または基礎構造板としての基礎パネル構造部分とから構成される。基礎構造板上または浴槽状レセスに挿入されたＰＣＭ層と少なくとも１つのパネル暖房要素とが取り付けられる。さらに、パネル暖房要素は電気接続導体に接続され、この接続導体は暖房モジュールの構成部分として基礎パネル構造部分上に取り付けられる。したがって、このような暖房モジュールでは、敷設が行われる前に、支持部分としての基礎パネル構造部分と、ＰＣＭ層としての潜熱蓄熱体と、パネル暖房要素付き電気暖房と、その電気接続とが一体化される。したがって、このような暖房モジュールの敷設は迅速で、簡単で、安価で行うことが可能であり、特にdo it yourself構造にも適している。
【００２０】
電磁蓄熱暖房を遮断板に一体化した実施の形態は床材で覆った床構造には特に適している。電磁蓄熱暖房を構造に一体化した実施の形態は側壁構造または天井壁構造に適用されるのが好ましい。
【００２１】
請求項８によって、少なくとも１つのパネル暖房要素をフラットな接続導体、特に対向する銅ストリップに結合し、暖房モジュールの構成部分として基礎パネル部分上で取り付け、そこから側縁領域に導く。そこから、少なくとも１つのパネル暖房要素に電力を供給し制御／調整を行う制御器具に結合するため、公知の結合技術による接続ケーブルに接続する。これによって、簡単で確実で機能が良好な電気接続技術が生まれる。
【００２２】
請求項９によって、パネル暖房要素の構成部分として薄板状の被覆が活性の赤外線放射の放射暖房被覆として請求され、ＰＣＭ層上に直接またはＰＣＭ層の様式または構造に応じて支持膜上に間接的にも取り付けることができる。
【００２３】
請求項１０によって、パネル暖房要素の操作を、人体に危険な高い電圧を排除するため、５０ボルト未満の低電圧で行う。しかし、特に天井領域ではより高い電圧で操作することも適切である。
【００２４】
請求項１１によれば、暖房調整のために、制御器具は室内空気温度センサおよび／または壁構造に保持された壁温度センサに結合される。それによって暖房調整は室内空気温度の基準値と比較して行われる。壁領域で高い温度が許容されない場合、暖房は壁に一体化された温度センサによって調整する。さらに、有利な電気料金、特に夜間の電気料金を利用するため、このような制御器具を制御装置に接続することもできる。このような制御装置は市場で提供され、一般に知られている。
【００２５】
請求項１２によると、壁構造を製造する暖房モジュールが請求される。暖房モジュールは遮断基板または基礎構造板としての基礎パネル構造部分と、その上でＰＣＭ層と一体に取り付けられ敷設状態では上側に位置するパネル暖房要素とから構成される。塗布されたパネル暖房要素は基礎パネル構造部分およびＰＣＭ層の層厚さと比較して薄い。さらにパネル暖房要素は赤外線を放射し、好ましくは低電圧で操作可能な放射暖房被覆を備える。請求項１３〜１５によるこのような暖房モジュールとさらなる展開は壁構造を製造する場合の前述の有利点に達することができる。
【発明を実施するための最良の形態】
【００２６】
図面に基づいて発明の実施の形態を説明する。
図１に電気式床暖房装置を備えた床構造の上面図を示すが、遮断層６は既に敷設が完成している。
【００２７】
この遮断層６は遮断パネル２ａ〜２ｈと床暖房モジュール３ａ−３ｄとから構成され、同一幅で上面が矩形のパネルを形成し、互いに隣接し、床を面状に覆って、相並んだ帯４ａ−４ｆに敷設される。帯４ａと４ｄでは遮断パネル２ａと２ｆのみ（パネル暖房要素のない）が使用される。帯４ｂと４ｃでは床暖房モジュール３ａと３ｂが相並んで敷設され、対応して短縮された遮断パネルの一部２ｂ、２ｃあるいは２ｄ、２ｅによって帯４ｂと４ｃが完成される。帯４ｅと４ｆでは異なる長さの床モジュール３ｃと３ｄの一方の幅側が部屋の隅に接し、他方は遮断パネルの一部２ｇと２ｈによって帯４ｅと４ｆが補足される。
【００２８】
図２に関連して明らかになるように、基礎床５、例えばコンクリート面上に遮断層６が敷かれ、遮断層６は遮断パネル２ａ−２ｈと床暖房モジュール３ａ−３ｄとから同一の層厚さで構成され、それぞれ継ぎ目７に隣接する。基礎床５と遮断層６との間にさらに分離膜２１を湿気遮断膜として使用する。
【００２９】
床暖房モジュール３ａ−３ｄはそれぞれ遮断基板８ａ−８ｄで構成され、その上側にＰＣＭ層２２およびその上にパネル暖房要素９ａ−９ｄが確実に一体に取り付けられる。床暖房モジュール３ａ−３ｂにおいてはそれぞれ長さ方向に間隔をおいた３つのパネル暖房要素９ａ，９ｂが取り付けられる。それに対し暖房モジュール３ｃでは長さ方向広がりのより大きい、間隔のより大きい２つのパネル暖房要素９ｃが取り付けられ、また暖房モジュール３ｄではパネル暖房要素９ｄが１つだけ使用される。暖房モジュール３ａ−３ｄおよびパネル暖房要素９ａ−９ｄの配置、大きさおよび位置はそれぞれ必要な暖房必要性に応じて決定され、敷設計画によって予め与えられる。
【００３０】
パネル暖房要素９ａ−９ｄは、特に黒鉛および絶縁性ススの物質量を有する赤外線を放射する被覆材料の放射暖房被覆１０で構成される。放射暖房被覆１０は、その下にある遮断基板８ａ−８ｄに形成された平らな浴槽状レセスに収容されたＰＣＭ層２２上に直接または中間膜を介して間接的に塗布される。ＰＣＭ層２２の裏面が接するレセスにはさらに反射膜２３で内張りが施される。ＰＣＭ層２２としては、ここでは含水塩またはパラフィンを使用した板状のＰＣＭ材料、膜に包まれたＰＣＭ材料、流し込まれたＰＣＴ粒またはＰＣＭ材料結合などの市場で入手できる材料形態のものが使用できる。層変化温度に関する選択および最適化もそれぞれ暖房モジュール構造の具体的状態および暖房技術の実状に従う。
【００３１】
帯４ｂ，４ｃ，４ｅ，４ｆのパネル暖房要素９ａ−９ｄの放射暖房被覆１０の対向する縁領域上を同じく暖房モジュール３ａ−３ｄの構成部分としてフラットな導体ストリップ１１，１１’が平行の銅ストリップとして帯幅領域まで延びる。そこの接続点１２から、特に差込み結合および／または挟み込み結合を介して接続ケーブル１３ａ，１３ｂに接続され、それぞれ左側の導体ストリップ１１は接続ケーブル１３ｂに、右側の導体ストリップ１１’は接続ケーブル１３ａに結合される。接続点１２から接続ケーブル１３ａ，１３ｂは継ぎ目７を通ってそれぞれ隣接する遮断パネル２ａ−２ｈ（破線で示す接続ケーブル１３ａ，１３ｂ）の下を床側の隅１４まで延び、そこから上方に制御器具１５まで導かれる。制御器具１５は室内空気温度センサ１６に結合され、さらにパネル暖房要素９ａの領域に取り付けられた床温度センサ１７にも結合される。
【００３２】
床暖房モジュール３ａ−３ｄ上にその構成部分としてそれぞれカバー膜１８が機械的保護膜および電気絶縁膜として適用されるが、暖房モジュール３ｂに関連するところのみ上面図を部分的に示す。
【００３３】
さらに遮断層６上に面状に覆う分離膜１９が取り付けられる（図１にはまだ敷かれていない）。この分離膜１９上に完成状態で敷設される床構造１において使用層として例えば木製の床材２０が完成寄せ木張り床方式で敷設される。
【００３４】
図３による変形の床構造１’は図２による床構造に対応するので、同一の構造構成部分には同一の符号を付している。暖房モジュール３ａ−３ｄの構造における相違点は、遮断基板８ａ−８ｄの全面上にそれぞれＰＣＭ層２２’が取り付けられその間に反射膜２３’が設けられる点である。パネル暖房要素９ａ−９ｄを含む全体の層厚さは遮断パネル２ａ−２ｈの層厚さに一致する。
【００３５】
遮断基板８ａ−８ｄ，ＰＣＭ層２２’、反射膜２３’およびパネル暖房要素９ａ−９ｄはこの場合も完成した床暖房モジュール３ａ−３ｄに適切に結合される。基本的にすべての層またはこれらの層の部分的結合も１つずつ順次重ねて敷設される。
【００３６】
図４では建物室内の側壁４０の構造板が壁暖房モジュール３１ａ，３１ｂとして石膏ボード板方式で使用され、その長さ方向広がりは人が掴める高さにほぼ相当する約２メートルとする。構造板３１ａ，３１ｂの長さ領域の中間には、それぞれ重なる矩形で長さ方向に間隔を置いた４つのパネル暖房要素３４，３５を有する相並ぶ２つのフィールド３２，３３が配置される。
【００３７】
これらのパネル暖房要素３４，３５は前述の床暖房モジュールの場合と同様に、赤外線放射を出す活性の放射暖房被覆として薄壁状の被覆を構成する。フィールド３２，３３のそれぞれの両側の被覆上に電気接触するフラットな導体ストリップをそれぞれに属する銅ストリップ３６ａ，３６ｂおよび３７ａ，３７ｂとして板の全長にわたり両板短辺にまで延ばす。全板面上に、したがってパネル暖房要素３４，３５および導体ストリップ３６，３７上に透明の保護絶縁膜が取り付けられる。薄板のことであるが、導体ストリップ６，７はケーブルとの接続をさらに容易にするため板短辺側８ａ，８ｂから突き出る。
【００３８】
放射暖房被覆、導体ストリップ３６ａ，３６ｂと３７ａ，３７ｂ、および保護絶縁膜を備えたパネル暖房要素３４，３５は建築場所に持ち込まれた状態ではすでにコーティングおよび張り付けによって石膏ボード板と強固に結合されているので、前もって完成した敷設モジュールが問題となる。
【００３９】
側壁４０においては、２つの壁暖房モジュール３１ａ，３１ｂとパネル暖房要素のない石膏ボード板４１ａ，４１ｂおよび４２ａ、４２ｂ、４２ｃとが組み合せて使用される。
側壁４０の左側には熱遮断材の遮断ブロック４６の間の縦型材４５および床巾木４４からなるフレームを備えた壁支持構造物４３の構造が使用され保持される。
【００４０】
面領域の前面は壁暖房モジュール３１および石膏ボード板４１，４２で覆われる。これらは特に縦型材４５にネジ止めされる。
側壁４０の右領域は石膏ボード板ですでに組み立てが完了して敷設されている。そこの第１の右フィールドでは上部の長い石膏ボード板４１ｂと下部の短い石膏ボード板４２ｂとが組み合わされている。その左側に接続するフィールドでは下部領域にパネル暖房要素３４付き壁暖房モジュール３１ｂが敷設され、その上の領域は短い石膏ボード板４２ｃで補足される。その左側に第１のフィールドに対応する石膏ボード板４１ａ，４１ｂを有するフィールドが接続する。さらに左側のフィールドにはすでに組み立てられたさらなる壁暖房モジュール３１ａが接続し、その上部領域は短い石膏ボード板で覆われる。
【００４１】
導体ストリップ３６ａ，３６ｂ，３７ａ，３７ｂ，３６ａ’，３６ｂ’，３７ａ’．３７ｂ’は壁暖房モジュール３１ａ，３１ｂの下の短辺側まで導かれ、そこから多少突出する。図で示す部屋隅領域４８（側壁４０から床壁４９への移行部）の接続個所４７において導体ストリップ３６ａ，３７ａおよび３６ａ’３７ａ’および導体ストリップ３６ｂ、３７ｂおよび３６ｂ’、３７ｂ’はそれぞれケーブル５３，５４を介して互いに結合され、ケーブル５３，５４は部屋隅領域４８に沿って分配ソケット５０に導かれる。そこからケーブル導体５１が制御器具５２まで（場合によっては板の裏に沿って）延びる。
【００４２】
接続個所４７およびケーブル５３，５４は部屋隅領域４８の分配ソケット５０と共通の位置にあるので、簡単で外観が良くてアクセス可能な隅覆い枠５５（破線で図示する）で覆うことができる。
【００４３】
図６の分解図には壁暖房モジュール３１ａ，３１ｂとは幾何学的に変更されているが層構造では同一の壁暖房モジュール３１ｄの実施形態の層構造が板モジュールとして、線Ｂ−Ｂに沿った図５の縦断面とともに示される。石膏ボード板４１がパネル基礎部となる。石膏ボード板４１にはフラットなレセスが設けられ、図５の拡大部分で明確に示すように、図２の遮断基板８ｃと同じように反射膜５７上にＰＣＭ層５６が挿入される。
【００４４】
ここでは７つのパネル暖房要素３４とフラットな導体ストリップ３６、３７とを有する暖房システムが石膏ボード板４１とＰＣＭ層５６の上の支持膜５８に取り付けられる。ＰＣＭ層５６の面は明らかに７つのパネル暖房要素３４で決まる面の下に位置する。
【００４５】
パネル暖房要素３４と導体ストリップ３６，３７とは導体形状のパネルパターンを表す。その上の、板モジュールの全体が見える面上に貼付膜５９がプラスチック膜または紙帯として取り付けられ、その上に、その下に配置されたパネル暖房要素３４と導体ストリップ３６，３７とからなるパネルパターンが同一に複製されたプリントされる。さらに各パネルパターン領域には"Attention! Do not screw in this area"「注意！ここにネジ／釘は使用禁止」とプリントして、それによってパネルパターンの内部に組み立ての際に釘またはネジを取り付けることを警告する。このプリントは別の言語または複数の言語で記載することもできる。
【図面の簡単な説明】
【００４６】
【図１】建物室内の床構造の上面図を示す。
【図２】図１の線Ａ−Ａに沿った断面で、床暖房モジュールの第１の実施形態を示す。
【図３】図１の線Ａ−Ａに沿った断面で、床暖房モジュールの第２の実施形態を示す。
【図４】石膏ボード板を部分的に敷設した建物室内の側壁構造の図であって、暖房要素および案内する電気導体の有無の場合を示す。
【図５】層構造を明確にするため図６の線Ｂ−Ｂに沿った縦断面を示す。
【図６】壁暖房モジュールの上面図を分解して示す。
【図１】
2008542591.tif 000003
【図２】
2008542591.tif 000004
【図３】
2008542591.tif 000005
【図４】
2008542591.tif 000006
【図５】
2008542591.tif 000007
【図６】
2008542591.tif 000008
【国際調査報告】
2008542591.tif 000009
2008542591.tif 000010
2008542591.tif 000011
2008542591.tif 000012
2008542591.tif 000013
2008542591.tif 000014